(57)【特許請求の範囲】
【請求項１】
押付け面が互いに押付け合うように配置されたヒーターを加熱し、該押付け面相互間に被シール材の所定部分を挟ませ、
該被シール材を、前記押付け面の前方から後方に送ることで、該被シール材の前記所定部分を連続して熱融着シールする連続シール工程の後で、
該連続シール工程で熱融着シールされた前記所定部分を、ヒーターの加熱された平坦面と、該平坦面に押付けられるように配置された回転可能のローラーとの間を通過させることを特徴とするシール方法。
【請求項２】
前記平坦面が、押付け面が互いに押付け合うように配置された前記ヒーターのうちの一方に一体的に形成されている請求項１に記載のシール方法。
【請求項３】
前記ローラーを、前記所定部分が前記平坦面と前記ローラーとの間を通過させる際に加熱しておく請求項１又は２のいずれかに記載のシール方法。
【請求項４】
前記ローラーの外周面が、前記平坦面に押付けられるようにした請求項１、２又は３のいずれかに記載のシール方法。
【請求項５】
前記被シール材を前記押付け面の前方から後方に送る手段が、２つのプーリーに掛けられたベルトの直線状に張られた部分が対面するように配置された２組のベルト装置のうち、ベルトの直線状に張られた部分相互間に前記被シール材を挟んだ状態において、前記２組のベルト装置の各ベルトを互いに逆回転することによるものであり、
しかも、前記押付け面相互間に、該ベルトを介して前記被シール材の所定部分を挟ませることとした請求項１、２、３又は４のいずれかに記載のシール方法。
【請求項６】
押付け面が互いに押付け合うように配置されたヒーターと、該押付け面相互間に被シール材の所定部分を挟ませた状態で、該被シール材を、前記押付け面の前方から後方に送る被シール材送り手段とを備えており、
該被シール材送り手段によって送られる前記被シール材を、前記押付け面相互間の前方から後方に送りながら、前記所定部分を連続して熱融着シールする連続シール手段を備えたシール装置において、
該連続シール手段の後方に、ヒーターの加熱された平坦面と、該平坦面に押付けられるように配置された回転可能のローラーとを設けておき、連続して熱融着シールされた前記所定部分を、該平坦面と該ローラーとの間を通過させる構成としてなることを特徴とするシール装置。
【請求項７】
前記平坦面が、押付け面が互いに押付け合うように配置された前記ヒーターのうちの一方に一体的に形成されている請求項６に記載のシール装置。
【請求項８】
前記ローラーを、加熱可能に設けた請求項６又は７のいずれかに記載のシール装置。
【請求項９】
前記ローラーの外周面が、前記平坦面に押付ける請求項６、７又は８のいずれかに記載のシール装置。
【請求項１０】
前記被シール材を前記押付け面の前方から後方に送る手段が、２つのプーリーに掛けられたベルトの直線状に張られた部分が対面するように配置された２組のベルト装置のうち、ベルトの直線状に張られた部分相互間に前記被シール材を挟んだ状態において、前記２組のベルト装置の各ベルトを互いに逆回転することによるものであり、
しかも、前記押付け面相互間に、該ベルトを介して前記被シール材の所定部分を挟ませることとした請求項６、７、８又は９のいずれかに記載のシール装置。
【発明の詳細な説明】
【０００１】
【発明の属する技術分野】
本発明は、包装袋等の被シール材の端縁などの重なり部のように、シールすべき部分を加熱して押付ける（押圧する）ことで熱融着する、被シール材のシール方法及びシール装置に関する。
【０００２】
【従来の技術】
図１１、１２は、この種のシール装置（シール機）１の概略構成を示したものである。このものは、上下に配置され、左右に一定間隔をおいて設置された各プーリー３ａ、３ｂに無端（平）ベルト４、５がかけられている。そして、駆動プーリー３ａによる各送り用のベルトの矢印方向への回転によって、両ベルト間に、例えば樹脂（プラスチック）製のフイルム（シート素材）からなる包装袋等をなす被シール材（以下、包装袋ともいう）１０を、その一側の端縁１２寄り部位を挟みつけるようにして、図示、右から左に送るように構成されている。このシール装置１における、上の送り用のベルト４の環状の内側と、下の送り用のベルト５の環状の内側には、それぞれ、略矩形板状をなすヒーター１４、１５が長手方向を水平にし、互いに押付け合うその押付け面（側面）を、送り用のベルト４、５の環状内側をなす水平面に対面する形で配置されている。そして、この上下のヒーター１４、１５は、その両押付け面を、両ベルト４、５を介して、例えばバネ１８、１９により弾性的に押し付け合うように配置されている。
【０００３】
このようなシール装置１では、駆動用のプーリー３ａの矢印方向への回転により、かけられたベルト４、５に挟まれた包装袋１０が右から左に送られる。一方、上下のヒーター１４、１５を所定温度に加熱し、その上下の押付け面で包装袋１０のシールすべき、例えば端縁１２寄り部位をベルト４、５を介して押付け合わせ、被シール材（包装袋）１０を加熱して熱融着することで、連続して熱融着シールするように構成されている。
【０００４】
【発明が解決しようとする課題】
ところで、このような熱融着シールにおいて、包装袋がいわゆる合掌袋やガゼット袋では、例えば被シール材（プラスチックフイルム同士又は普通紙とプラスチックフイルム）の端縁の辺に沿って、例えば二重、又は四重に重ね合わされた部分ができるが、その端縁１２を熱融着シールする際には、次のような問題があった。すなわち、このような包装袋１０のシール部をなす端縁１２には、包装袋の構造上、図１３に示したように、例えば、被シール材１０の２枚重ね部Ｓ２と４枚重ね部Ｓ４となる厚さが異なる箇所が発生するため、その厚さの境界Ｋの近傍においては厚さが急変することになる。一方、上記した従来のシール装置１を用いたシールでは、左右に長いヒーター１４、１５の平坦な押付け面（図示上のヒーター１４では下の水平な横辺、図示下のヒーター１５では上の水平な横辺）にて押付けるため、その境界Ｋの部位が加圧されにくく、したがって、図１３に示したように、同境界Ｋ部位が十分に圧着されずに、シール不良ないし不完全シール（以下、不完全シールともいう）が発生するといった問題があった。また、普通紙と樹脂（プラスチック）製のフイルムとを重ねてシールする場合においては、シール部に厚さの異同がなく、それが一定であっても熱融着しにくく、そのため、不完全シールを招きやすいといった問題があった。
【０００５】
こうした不完全シールは、被シール材の厚さが厚くなるほど、また、被シール材相互の融着性が悪いほど発生しやすい。加えて、こうした問題は、包装される対象物（食物、医療用品など）によっては重大な問題を発生させることになる。一方、このような問題の解決策としては、ヒーター相互が押し付け合う力（押圧力）を大きくすることや、その加熱温度を高くすることなどが考えられる。しかし、ヒーターの押し付け力を大きくすれば、送りをかけている被シール材（包装袋）の流れ（送り状態）が悪くなるし、加熱温度を高くすれば熱エネルギーを無駄に消費することになる。
【０００６】
本発明は、こうした問題点に鑑みてなされたもので、包装袋等の被シール材の端縁などの被シール材の重なり部などにおける、厚さの急変部などにおいて発生しがちの不完全シールの発生を防止することをその目的とする。
【０００７】
【課題を解決するための手段】
上記の目的を達成するための請求項１記載の発明は、押付け面が互いに押付け合うように配置されたヒーターを加熱し、該押付け面相互間に被シール材の所定部分を挟ませ、
該被シール材を、前記押付け面の前方から後方に送ることで、該被シール材の前記所定部分を連続して熱融着シールする連続シール工程の後で、
該連続シール工程で熱融着シールされた前記所定部分を、ヒーターの加熱された平坦面と、該平坦面に押付けられるように配置された回転可能のローラーとの間を通過させることを特徴とするシール方法である。
【０００８】
本発明では、該連続シール工程で熱融着シールされた前記所定部分を、連続シール工程の後で、さらに、ヒーターの加熱された平坦面と、該平坦面に押付けられるように配置された回転可能のローラーとの間で押付けられる。この押し付けでは、面圧を大きくできるため、ここを通過するときに、前記所定部分のうち、不完全シールをなしている厚さ急変部があっても、十分強く押付けられる。これにより、不完全シールが解消される。かくして、ガゼット袋、合掌袋など、重なり数の相違による厚さの異同がある場合であっても、シール部における厚さ急変部（境界部分）の未接着が防止される。また、熱融着しにくい普通紙と樹脂製フイルムとを単に重ねて熱融着シールする場合においても、十分強い押付けが得られることから、不完全シールの発生を防止できる。
【０００９】
請求項２に記載の発明は、前記平坦面が、押付け面が互いに押付け合うように配置された前記ヒーターのうちの一方に一体的に形成されている請求項１に記載のシール方法である。
【００１０】
請求項３に記載の発明は、前記ローラーを、前記所定部分が前記平坦面と前記ローラーとの間を通過させる際に加熱しておく請求項１又は２のいずれかに記載のシール方法である。
【００１１】
請求項４に記載の発明は、前記ローラーの外周面が、前記平坦面に押付けられるようにした請求項１、２又は３のいずれかに記載のシール方法である。
【００１２】
請求項５に記載の発明は、前記被シール材を前記押付け面の前方から後方に送る手段が、２つのプーリーに掛けられたベルトの直線状に張られた部分が対面するように配置された２組のベルト装置のうち、ベルトの直線状に張られた部分相互間に前記被シール材を挟んだ状態において、前記２組のベルト装置の各ベルトを互いに逆回転することによるものであり、
しかも、前記押付け面相互間に、該ベルトを介して前記被シール材の所定部分を挟ませることとした請求項１、２、３又は４のいずれかに記載のシール方法である。
【００１３】
請求項６に記載の発明は、押付け面が互いに押付け合うように配置されたヒーターと、該押付け面相互間に被シール材の所定部分を挟ませた状態で、該被シール材を、前記押付け面の前方から後方に送る被シール材送り手段とを備えており、
該被シール材送り手段によって送られる前記被シール材を、前記押付け面相互間の前方から後方に送りながら、前記所定部分を連続して熱融着シールする連続シール手段を備えたシール装置において、
該連続シール手段の後方に、ヒーターの加熱された平坦面と、該平坦面に押付けられるように配置された回転可能のローラーとを設けておき、連続して熱融着シールされた前記所定部分を、該平坦面と該ローラーとの間を通過させる構成としてなることを特徴とする。
【００１４】
請求項７に記載の発明は、前記平坦面が、押付け面が互いに押付け合うように配置された前記ヒーターのうちの一方に一体的に形成されている請求項６に記載のシール装置である。
【００１５】
請求項８に記載の発明は、前記ローラーを、加熱可能に設けた請求項６又は７のいずれかに記載のシール装置である。
【００１６】
請求項９に記載の発明は、前記ローラーの外周面が、前記平坦面に押付ける請求項６、７又は８のいずれかに記載のシール装置である。
【００１７】
請求項１０に記載の発明は、前記被シール材を前記押付け面の前方から後方に送る手段が、２つのプーリーに掛けられたベルトの直線状に張られた部分が対面するように配置された２組のベルト装置のうち、ベルトの直線状に張られた部分相互間に前記被シール材を挟んだ状態において、前記２組のベルト装置の各ベルトを互いに逆回転することによるものであり、
しかも、前記押付け面相互間に、該ベルトを介して前記被シール材の所定部分を挟ませることとした請求項６、７、８又は９のいずれかに記載のシール装置である。
【００１８】
【発明の実施の形態】
本発明に係るシール方法について、図１及び図２に示したシール装置１０１に基づいて詳細に説明する。図中、１０１は、シール装置であり、シールされる例えば包装袋（被シール材）１０を送りながらその一側（方）の端縁１２をシールするよう、次のように構成されている。
【００１９】
すなわち、被シール材送り手段は、上下に配置された送り用のベルト（以下、グリップベルト又は単にベルトともいう）４、５による機構とされ、次のように構成されている。すなわち、上下それぞれに配置された送り用のベルト４、５は無端（平）ベルトからなり、左右に一定間隔で設置された各プーリー３ａ、３ｂにかけられている。そして、上に配置された送り用のベルト４の右回転と、下に配置された送り用のベルト５の左回転によって、両ベルト４、５間に包装袋１０の一側の端縁１２を挟ませ、図示、右から左に送るように、上のベルト４の下側に位置する左流れ部の下面と、下のベルト５の上側に位置する左流れ部の上面とが平行に対面するように配置されている。なお、上下に配置された左右のプーリー３ａ、３ｂは、平面視においてその幅方向を一致させているが、上下両ベルト４、５による包装袋１０の挟み付けによる送りを確実にするため、本形態では、上に配置された左右のプーリー３ａ、３ｂは、その軸を下に配置された左右のプーリー３ａ、３ｂの軸より、左にずらして配置されている。
【００２０】
なお、上及び下の両ベルト４、５がかけられている一方のプーリー３ａは、図示しないモーターで駆動されるように構成されている。また本形態では次記するように、この両ベルト４、５を介在させて、つまり両ベルト４、５を間において、次記するヒーター１４、１５で包装袋１０の一側の端縁１２を挟んで熱融着するように構成されているため、両ベルト４、５は例えばガラス繊維を素材とする耐熱材から形成されている。なお、シールされた包装袋は、図示左のプーリー３ａから左に送り出された後は、例えばそのシール部或いはその近傍に、そのシール日の日付けなどの印刷のため、図示しない印字（印刷）機構に送られるように構成されている。
【００２１】
一方、上のベルト４の環状の内側と、下のベルト５の環状の内側には、それぞれ、一定厚さ（例えば１０ｍｍ）で矩形板状をなすヒーター（金属板）１４、１５が長手方向を水平にし、その板厚面をなす押付け面（側面）１４ａ、１５ａが、送り用のベルト４、５の水平面に対面する形で配置されている。すなわち、上のベルト４の下側に位置する左流れ部の上面４ａに、上のヒーター１４の下押付け面１４ａが対面し、下のベルト５の上側に位置する左流れ部の下面５ａに、下のヒーター１５の上押付け面１５ａが対面するように配置されている。ただし、下のヒーター１５の上押付け面１５ａと、上のヒーター１４の下押付け面１４ａとが、両ベルト４、５を介して押し付け合うように、平面視において、その押付け面（板厚面）１４ａ、１５ａがその板厚方向において一致するように配置されている。そして、本形態では上下のヒーター１４、１５が押し付け合う方向（図示上下方向）にそれぞれバネ１８、１９で付勢されている。すなわち、図２、３に示したように、プーリー３ａ、３ｂ及びこれにかけられたベルト４、５で包装袋１０が送られるが、平面視において、そのベルトの幅方向の間に、上下のヒーター１４、１５が位置するように配置されており、右（押付け面の前方）から左（押付け面の後方）へ送られる包装袋１０の一側の端縁１２を、上下のヒーター１４、１５でベルト部位を介して押付け、その押付け部、つまり上下のヒーター１４、１５の押付け面１４ａ、１５ａの部分で押付け合うと同時に包装袋１０の一側の端縁１２を加熱溶融することで熱融着してシールするように構成されている。
【００２２】
なお、本形態では、シール装置１０１の非運転時には上下のヒーター１４、１５相互による押付けがされないように、つまりヒーターがベルト面から分離する方向に、上のヒーター１４がカム（図示せず）により上に所定量押し上げられ、下のヒーター１５がカム（図示せず）により下に所定量押し下げられるように構成されている。また、このような各ヒーター１４、１５は、例えば黄銅板から形成され、内部に、電熱式ヒーターを内蔵したもので、通電することで押付け面（押付け面）１４ａ、１５ａが例えば１２０〜２００℃に加熱されるように設定されている。
【００２３】
なお、本形態では下のヒーター１５の長さが２００ｍｍで、上のヒーター１４の長さが１７０ｍｍとされ、図示したように、両ヒーター１４、１５の右端部１４ｂ、１５ｂが一致しており、下のヒーター１５の左端部１５ｃが、上のヒーター１４の左端部１４ｃより例えば３０ｍｍ突出するように配置されている。そして、下のヒーター１５のうち、上のヒーター１４から突出している突出部の上方には、ベルト４、５を介して包装袋１０の端縁１２のシール部を押える、円柱状をなすローラー２１が、軸２２を図面に垂直にされ、回転自在（フリー）に配置されている。ただし、このローラー２１は、運転時（圧着時）には、バネ作用によりベルトを介して下のヒーター１５の上の押付け面１５ａに連なる平坦面１５ｄを押付けるように構成されているが、非運転時にはカム（図示せず）によりベルトから離間するように設置されている。
【００２４】
なお、ローラー２１の幅は、上下のヒーター１４、１５の押付け面１４ａ、１５ａの平面視における幅と同じとされている。ただし、その幅は、包装袋１０の端縁１２のシール部を確実に押えるため、そのシール部の幅より大きくしてもよい。しかして、押付け面１４ａ、１５ａ相互間による押し付けにより、連続してシールされて右から左に送られる包装袋の端縁は、ローラー２１により、平面視においてローラー２１の軸方向を線とする、いわゆる線当りで、ベルト４、５を介して集中的に押え付けられるように設定されている。なお、ローラー２１は、ベルトを介して包装袋１０を微小面積で集中的に押えるためからは、なるべく小径のものとするのが好ましいが、本形態では円柱の外径（直径）が２５ｍｍのものが使用されている。
【００２５】
こうして、本形態のシール装置１０１においては、その運転時に、上下の両ヒーター１４、１５がバネ１８、１９によりベルト４、５を介して押し付け合う。その状態の下で、駆動用のプーリー３ａの回転による駆動で、上下のベルト４、５にて端縁１２を挟み付けられた包装袋１０は、図示において右から左に送られる。と同時に、両ヒーター１４、１５によるベルト４、５を介した押し付けにより、挟み付けられた包装袋の端縁は両ヒーター１４、１５の各押付け面１４ａ、１５ａで、右から左に送られる過程で順次、加熱溶融されて熱融着（圧着）され、一応のシールがなされる。
【００２６】
こうして、一応のシールがなされた包装袋１０は、両ヒーター１４、１５の各押付け面１４ａ、１５ａの間を前方（図示右）から後方（図示左）に流れて、上のヒーター１４の左端１４ｃを超えると、両ヒーター１４、１５による押付け合いはなくなる。そして、包装袋１０は、下のヒーター１５の上の押付け面１５ａに沿って、上下のベルト４、５間を左に送られるが、本形態では、ローラー２１がベルトを介して下のヒーター１５の上の押付け面１５ａに連なる平坦面１５ｄ側に押付けられている。このため、包装袋１０の端縁１２は、このローラー２１を順次通過するが、その通過の際に、ローラー２１にて再度押えつけられる。このとき、包装袋の端縁１２は、下のヒーター１５により加熱されている。そして、図３に示したように、下のヒーター１５の上面の平坦面１５ｄにおいて、ローラー２１により局所的に押えられるため、既に圧着されていた端縁１２のシール部は一層強く圧着されるため、２枚重ねと４枚重ねと厚さの異なる境界Ｋの部位において残存していたシール不良ないし不完全シールも解消される。
【００２７】
このように、本形態では、従来のように上下のヒーター１４、１５による直線状の押付け面１４ａ、１５ａのみによる押付けだけでなく、それに加えて、下のヒーター１５の後端寄り部位における平坦面１５ｄの上で、加熱状態を保持したままで、ローラー２１の軸２２の軸線方向において、いわゆる線接触状態で、順次、シール部の全長にわたって押えつけることができる。このため、不完シールとなりがちの部位も問題なくシールできる。すなわち、本形態では、いわゆる合掌袋タイプの包装袋のようにシールすべき部分に、厚さが二重と四重のように相違があり、その境界Ｋにおける段差に発生しがちな不完全シールを残すことなく熱融着することができる。なお、図示はしないが、熱融着しにくい普通紙と樹脂製フイルムとを単に重ねて熱融着シールする場合においても、同様の作用により、十分強い押付けが得られることから、不完全シールを残すことなく熱融着することができる。
【００２８】
前記形態における、ローラー２１は、なるべく小径のものとするのが好ましい。押え付け時におけるその接触面積を小さくできるため、単位面積当り、より大きい面圧が得られるためである。
【００２９】
さて、次に本発明の別の実施の形態について、図５を参照して説明する。ただし、このものは、上記形態で、ローラー２１を１つのものとして具体化したのに対し、これを複数（２個）配置した点のみが相違するだけであり、上記形態と本質的相違はないことから、同一の部位には同一の符号を付すに止め、詳細な説明は省略する。すなわち、本形態では、包装袋１０が右から左に送られる過程で、両ヒーター１４、１５の各押付け面１４ａ、１５ａによるベルトを介した押付けで、順次、包装袋１０の端縁を熱融着した後、２個のローラー２１、２１にて２回押付けるようにしたものである。したがって、より確実に不完全シールの発生を防止できる。
【００３０】
さて、次に本発明の別の実施の形態について、図６を参照して説明する。ただし、このものは、上記形態に対し、上のヒーター１４を左右において２つに分割し、その相互に間隔を設けて、その間に、ローラー２１を配置したものである。
【００３１】
しかして、このものでは、中間に設けられたローラー２１による押付けにて、包装袋１０のシール部における不完全シールをなくした後で、さらに上下のヒーター１４、１５相互による各押付け面によるベルト４、５を介した押付けをするようにしたため、シール部の平坦化が図られる。なお、このように、ローラー２１を中間に設ける場合においても、そのローラー２１を複数配置してもよい。
【００３２】
上記において、ローラー２１は、回転自在（フリー）に設けたため、押圧時にはそれがベルトとの摩擦によって回転する。しかし、強制的に回転（駆動）させてもよい。強制的に回転させる場合には、ベルトの送りと速度と周速が同じとなる回転数にするとよい。なお、ローラー２１は、平ローラーとしたが、面圧を高くするため、軸線に対して外方に膨らむ円弧状ローラーを用いてもよい。
【００３３】
なお、上記においては、シールすべき包装袋を水平方向に送る装置において、ローラーを、下のヒーターの上に配置したもので具体化したが、上のヒーターの下に配置したものでも具体化できるなど、その配置はヒーターの配置に応じて適宜に設定すればよい。
【００３４】
また、いずれのローラーであっても、それ自体を所定温度に加熱できるものとしておいてもよい。このようにローラーが加熱されていれば、その分、押付けるシール部を加熱できるため、シールすべき包装袋等の端縁を効果的に熱融着できるためである。
【００３５】
なお、上記各形態においては、ヒーター及びローラーによるシール部の押付けを、ベルトを介して行う構成としたが、このような押付けをベルトを介さず行うようにしたシール装置においても具体化できる。図７から図１０は、そのような実施の形態を示したものであるが、ベルトを介することなく押付ける点を除けば、上記形態と基本的に共通するものであるため、相違点のみ説明し、同一部位には同一の符号を付すに止める。
【００３６】
図７及び図８は、ヒーター１４、１５及びローラー２１による包装袋の端縁（シール部）１２の押付けを、包装袋１０の送り用のベルト４、５を介さず行うようにしたシール装置において具体化した実施の形態を示したものである。すなわち、図７に示したように、プーリー（図示せず）にかけられたベルト４、５は、同図面（平面図）上において、ヒーター１４、１５及びローラー２１より下方に配置されている。すなわち、包装袋１０の送りを、その一側の端縁１２より幾分引下った部位をベルト４、５で挟ませて図示左に送られるように構成されている。そして、平面視において、そのベルト４、５の部位と重ならない部位において、包装袋１０の一側の端縁１２をヒーター１４、１５及びローラー２１で押えつけるようにしている。
【００３７】
すなわち、図７においては、平面視、ベルト４、５で挟む部位と、ヒーター１４、１５の部位（シール部位）とを異ならしめたものであり、上方にヒーター１４、１５が左右に延びる形で配置され、包装袋の上縁１２をヒーター１４、１５の間に挟ませると同時に、その挟み込み部位より下側を、送り用のベルト４、５の間に挟ませるようになっている。こうして、送り用のベルト４、５の動きにより、包装袋１０を右から左へ送るのと同時に、その包装袋の一側の端縁１２をヒーター１４、１５間に挟ませて熱融着シールするものである。
【００３８】
本形態では、ベルト４、５を介することなく、包装袋の一側の端縁１２をヒーター１４、１５間にて挟んでいるため、熱効率がよくなる。また、このようにベルトを介することなく、包装袋の一側の端縁をヒーター間にて挟んでシールする方法ないし装置としては、図９及び図１０に示した実施の形態のように具体化してもよい。
【００３９】
図９に示したように、プーリー（図示せず）にかけられたベルト４、５は、同図面上において、ヒーター１４、１５及びローラー２１より上方に配置されている。すなわち、このものは、包装袋１０の送りを、その一側の端縁１２寄り部位をベルト４、５で挟ませて図示左に送られるように構成されている。そして、平面視において、そのベルト４、５の部位と重ならない図９における下側において、包装袋１０の一側の端縁１２寄り部位をヒーター１４、１５及びローラー２１で押えつけるようにしている。
【００４０】
このように、ベルトを介することなく、包装袋の一側の端縁をヒーター間にて挟む方法においても、本発明は具体化できる。また、本発明は上記した各形態のものに限定されるものではなく、その要旨を逸脱しない範囲において種々変更して具体化できる。例えば、図７と図９とにおける送り用のベルトを組合せて、平面視、ヒーターの両側で送りをかけるようにしてもよい。すなわち、図７又は図９に示した送り用のベルトの配置では、そのベルトによって送りをかける一方で、ヒーターではその送りにブレーキをかける作用があるため、円滑な送りを阻害する危険性があるが、このようにヒーターの両側で送りをかけるようにしておけば、円滑な送りが期待される。なお、いずれにしても、送り用のベルトは、ヒーターのなるべく近くに配置するとよい。
【００４１】
【発明の効果】
以上の説明から明らかなように本発明によれば、包装袋等の被シール材の端縁などの被シール材の重なり部などにおける、厚さの急変部において発生しがちの不完全シールの発生を有効に防止できる。また、本発明によれば、シール部における厚さが一定であっても、熱融着しにくく不完全シールを招きやすい、普通紙と樹脂製フイルムとの熱融着シールにおいても、不完全シールの発生を有効に防止できる。
【図面の簡単な説明】
【図１】  本発明のシール装置の実施の形態を説明する一部省略概略構成正面図、及びその部分拡大図。
【図２】  図１の拡大図の一部破断平面図。
【図３】  図１中の部分拡大図の要部拡大図。
【図４】  図３の平面図。
【図５】  別形態の要部を説明する一部省略概略構成正面図。
【図６】  別形態の要部を説明する一部省略概略構成正面図。
【図７】  別形態の要部を説明する一部省略概略構成平面図。
【図８】  図７の正面図。
【図９】  別形態の要部を説明する一部省略概略構成平面図。
【図１０】  図９の正面図。
【図１１】  従来のシール装置を説明する一部省略概略構成正面図、及びその部分拡大図。
【図１２】  図１１の拡大図の一部破断平面図。
【図１３】  不完全シールを説明する部分拡大正面図。
【符号の説明】
３ａ、３ｂ  プーリー
４、５  ベルト
１０  被シール材
１４、１５  ヒーター（連続シール手段）
１４ａ、１５ａ  押付け面
１５ｄ  連続シール手段の後方のヒーターの加熱された平坦面
２１  ローラー
１０１  シール装置
【図１】
0003643800.tif 000002
【図２】
0003643800.tif 000003
【図３】
0003643800.tif 000004
【図４】
0003643800.tif 000005
【図５】
0003643800.tif 000006
【図６】
0003643800.tif 000007
【図７】
0003643800.tif 000008
【図８】
0003643800.tif 000009
【図９】
0003643800.tif 000010
【図１０】
0003643800.tif 000011
【図１１】
0003643800.tif 000012
【図１２】
0003643800.tif 000013
【図１３】
0003643800.tif 000014